(57)【要約】【課題】側面にカバー部材を備える構成で、設置スペースの拡大を抑制しつつ、側面から取っ手部が突き出すことなく、装置運搬時には安定した運搬を行うことが可能となる画像形成装置を提供する。【解決手段】転写紙の表面に画像を形成する画像形成部と、右側面５００ａ等の装置本体の側面に配置され、少なくとも一部が装置本体から離れる方向に移動することで、覆っていた紙搬送路等の装置本体内部を露出させる両面カバー３１とを備える複写機５００において、装置運搬用の取っ手部として、装置本体に固定され、且つ、装置本体の外装の右側面５００ａに対して窪んだ形状の右手前取っ手部３４を、右側面５００ａの幅方向における両面カバー３１の幅内で、両面カバー３１よりも低い位置に配置する。【選択図】図１
2014170058.tif 000002
【特許請求の範囲】
【請求項１】
シート状の記録媒体の表面に画像を形成する画像形成手段と、
装置本体の側面に配置され、少なくとも一部が装置本体から離れる方向に移動することで、覆っていた装置本体内部を露出させるカバー部材とを備える画像形成装置において、
装置運搬用の取っ手部として、装置本体に固定され、且つ、装置本体の外装の側面に対して窪んだ形状の取っ手部の少なくとも一つを、該側面の幅方向における上記カバー部材の幅内で、該カバー部材よりも低い位置に配置することを特徴とする画像形成装置。
【請求項２】
請求項１の画像形成装置において、
上記カバー部材の下端近傍に軸中心が水平方向に延在するように配置され、該カバー部材を装置本体に対して回動可能に支持するカバー回動軸を備え、
該カバー部材の上端が該カバー回動軸を中心に装置本体から離れる方向に移動するように、該カバー部材が回動することで覆っていた装置本体内部を露出させ、
上記取っ手部の少なくとも一つは、該カバー回動軸よりも低い位置で該カバー部材の下端に隣接する位置に設けられていることを特徴とする画像形成装置。
【請求項３】
請求項１または２の画像形成装置において、
上記カバー部材は、記録媒体が搬送される記録媒体搬送路を覆い、少なくとも一部が装置本体から離れる方向に移動することで、該記録媒体搬送路を露出させることを特徴とする画像形成装置。
【請求項４】
請求項３の画像形成装置において、
上記取っ手部の裏側は上記記録媒体搬送路であり、
該取っ手部は記録媒体搬送ガイドを兼ねていることを特徴とする画像形成装置。
【請求項５】
請求項３または４の画像形成装置において、
装置本体の下方に配置され、上記記録媒体搬送路に記録媒体を供給する記録媒体供給装置を備え、
該記録媒体供給装置は、上記取っ手部に隣接し、上記カバー部材の下端近傍まで覆う縦搬送カバーを有することを特徴とする画像形成装置。
【発明の詳細な説明】
【技術分野】
【０００１】
本発明は、少なくとも一部が装置本体から離れる方向に移動することで、覆っていた装置本体内部を露出させるカバー部材と、運搬用の取っ手部とを備えた複写機、プリンタ、ファクシミリ等の画像形成装置に関するものである。
【背景技術】
【０００２】
画像形成装置は、転写紙等のシート状の記録媒体を収容する記録媒体収容部から記録媒体に画像を形成する画像形成部まで記録媒体を搬送し、さらに、画像が形成された記録媒体を排紙部まで搬送する。このような画像形成装置としては、使用時には記録媒体搬送路を覆い、カバー回動軸を中心にその移動端が装置本体から離れる方向に移動することで、装置本体内部の記録媒体搬送路を露出させる開閉カバーを備えるものが知られている（特許文献１や特許文献２）。この画像形成装置では、記録媒体搬送路で記録媒体が詰ったときに、開閉カバーを開くことで記録媒体搬送路を露出させ、記録媒体を取り除くことができる。
【０００３】
特許文献１及び特許文献２に記載の画像形成装置では、装置本体の下部に記録媒体収容部を配置し、記録媒体収容部の上方となる装置本体の中央部に画像形成部を配置し、画像形成部の上方となる装置本体の上部に排紙部を配置している。そして、装置本体の下部の記録媒体収容部から装置本体の上部の排紙部まで記録媒体を搬送する記録媒体搬送路を覆う開閉カバーを、装置本体の側面（以下、「装置側面」とよぶ）に備えている。
【０００４】
この開閉カバーは、装置本体の下部から上部までの記録媒体搬送路を覆うため、開閉カバーの鉛直方向の寸法は、装置側面における鉛直方向の寸法よりも少し小さい程度の寸法となっている。また、画像形成装置では、開閉カバーを開放したときに使用する全てのサイズの記録媒体を除去できる必要がある。このため、開閉カバーの幅（装置側面における鉛直方向に直交する方向の長さ）は、使用する記録媒体のうち、幅（搬送方向に直交する方向の長さ）が最も広い記録媒体の幅よりも広く設定されている。
【０００５】
画像形成装置の装置運搬時に手を掛けるための取っ手部として、装置側面を形成する筐体の外装の一部に窪み（凹部）設けたものが知られている。
上述した開閉カバーが配置された装置側面に、装置運搬時に手を掛けるための取っ手部を設ける構成として、開閉カバーの幅方向の両方の外側の装置本体に、窪んだ形状の取っ手部を設ける構成が考えられる。しかし、使用する記録媒体の最大幅よりも幅が広い開閉カバーのさらに外側に、人間の手の人差し指から小指までが十分に入る程度の幅（１０［ｃｍ］前後）の窪みを備える取っ手部を二つ設けると、開閉カバーを設けた装置側面の幅が広くなってしまう。装置側面の幅が広くなると、画像形成装置を上方から下方に向けて投影したときの投影面積が大きくなり、設置スペースの拡大に繋がる。
装置側面の幅が広くなることを防止するために、取っ手部の幅を狭くすると、手の掛かりが不安定になって持ち運び難くなり、装置運搬時に取っ手部から手が外れて装置が落下して損傷するおそれがある。
【０００６】
特許文献１の画像形成装置では、装置側面における開閉カバーの幅方向の一方の外側に窪んだ形状の取っ手部を設け、他方の外側に、棒状の長手方向に沿って、装置側面に直交する方向に出し入れ可能な棒状の取っ手部を設けている。このような構成では、一方の窪んだ形状の取っ手部に手を掛け、他方の引き出した棒状の取っ手部を手で握ることで取っ手部に対する手の掛かりが安定し、装置運搬時に取っ手部から手が外れて装置が落下することを抑制できる。
また、手で握るための棒状の取っ手部は、棒状の長手方向の長さとしては人間の手の人差し指から小指までが十分に掛かる長さが必要である。しかし、棒状の径は人間の手の指の第一関節と第二関節との間で下方を支持できる程度の長さ（２［ｃｍ］前後）があればよい。このような径の棒状の取っ手部を配置するために要する幅は、手を掛けるための窪んだ形状の取っ手部よりも狭いため、開閉カバーを設けた装置側面の幅が広くなることを抑制できる。
装置側面から棒状の取っ手部が突き出していると、外観の美的品質の低下に繋がり、画像形成装置の周りを通過する人間が取っ手部にぶつかるおそれがある。特許文献１の画像形成装置では、棒状の取っ手部が装置側面に対して出し入れ可能であるため、運搬時以外は、棒状の取っ手部を装置側面内に収めることが出来、外観の美的品質の低下や取っ手部に人がぶつかることを防止できる。
【発明の概要】
【発明が解決しようとする課題】
【０００７】
しかしながら、出し入れ可能な棒状の取っ手部は、装置運搬時に不意に引っ込んでしまう恐れがある。装置運搬中に棒状の取っ手部が引っ込むと、装置から手が離れてしまい装置が落下して損傷するおそれがある。また、装置運搬後に棒状の取っ手部を収めることを失念する等、何らかの理由で棒状の取っ手部が装置側面から突き出したままとなるおそれがある。棒状の取っ手部が突き出したままであると、設置した状態での外観の美的品質が低下したり、設置した状態の装置の取っ手部に人がぶつかったりする不具合が生じるおそれがある。
【０００８】
設置スペースの拡大を抑制しつつ、装置側面から取っ手部が突き出すことのない構成としては、開閉カバー自体に取っ手部を設ける構成が考えられる。しかし、開閉カバーに取っ手部を設けると、開閉カバーの回動軸等の開閉カバーを装置本体に取り付ける部材や開閉カバーに対して、運搬時に装置本体の重量の負荷が掛かり、開閉カバーを取り付ける部材や開閉カバーが変形する等の損傷が生じるおそれがある。このような損傷を防止するために、開閉カバーを装置本体に取り付ける部材や開閉カバーの強度を高めようとするとコスト高に繋がる。このため、取っ手部は開閉カバーのように装置本体に対して移動する部分に設けず、装置本体に固定されていることが望ましい。
【０００９】
このような問題は、開閉カバーを開放状態とすることで記録体搬送路を露出する構成に限らず、カバー部材を開放状態とすることで、カバー部材が覆っていた装置本体内部を露出させる構成であれば同様の問題が生じ得る。また、カバー部材としては、回動軸を中心に回動することで開閉する構成に限らない。装置本体に対して引き出す構成やカバー部材そのものを装置本体から取り外す構成など、少なくともカバー部材の一部が装置本体から離れる方向に移動することで、覆っていた装置本体内部を露出させる構成であれば、同様の問題が生じ得る。
【００１０】
本発明は以上の問題点に鑑みなされたものであり、その目的は、側面にカバー部材を備える構成で、設置スペースの拡大を抑制しつつ、側面から取っ手部が突き出すことなく、装置運搬時には安定した運搬を行うことが可能となる画像形成装置を提供することである。
【課題を解決するための手段】
【００１１】
上記目的を達成するために、請求項１の発明は、シート状の記録媒体の表面に画像を形成する画像形成手段と、装置本体の側面に配置され、少なくとも一部が装置本体から離れる方向に移動することで、覆っていた装置本体内部を露出させるカバー部材とを備える画像形成装置において、装置運搬用の取っ手部として、装置本体に固定され、且つ、装置本体の外装の側面に対して窪んだ形状の取っ手部の少なくとも一つを、該側面の幅方向における上記カバー部材の幅内で、該カバー部材よりも低い位置に配置することを特徴とするものである。
【００１２】
本発明においては、取っ手部は、装置本体の外装の表面に対して窪んだ形状であるため、装置側面から取っ手部が突き出すことがない。これにより、使用時の外観の美的品質が低下したり、使用時に取っ手部に人がぶつかったりすることを防止できる。また、取っ手部が装置本体に固定されているため、装置本体に対して移動可能なカバー部材に取っ手部を設ける構成に比べて、運搬時にカバー部材やカバー部材を取り付ける部材に損傷が生じるおそれがなく、安定した運搬を行うことができる。さらに、カバー部材の幅内で、カバー部材よりも低い位置に窪んだ形状の取っ手部の少なくとも一つを設けているため、人間の手の掛かりが安定するほどの幅を備えた取っ手部を設けても、カバー部材を設けた装置側面の幅が広くなることを抑制できる。手の掛かりを安定させつつ、装置側面の幅が広くなることを抑制できるため、設置スペースの拡大を抑制しつつ、安定した運搬を行うことが可能となる。
【発明の効果】
【００１３】
本発明によれば、側面にカバー部材を備える構成で、設置スペースの拡大を抑制しつつ、側面から取っ手部が突き出すことなく、装置運搬時には安定した運搬を行うことが可能となるという優れた効果が得られる。
【図面の簡単な説明】
【００１４】
【図１】本実施形態に係る複写機の斜視図、（ａ）は各部材に符号を付した説明図、（ｂ）は、両面カバーとなる部分を斜線部で表した説明図。
【図２】本実施形態に係る複写機の全体の構成例を示す概略構成図。
【図３】第二給紙部を取り付けた複写機を示す概略構成図。
【図４】複写機の右手前取っ手部近傍の拡大斜視図。
【図５】右手前取っ手部の拡大説明図、（ａ）は、外側から見た場合の斜視説明図、（ｂ）は、内側から見た場合の斜視説明図。
【図６】目隠しカバーを取り外した複写機の斜視説明図。
【図７】第二給紙部を設けた複写機の斜視説明図。
【図８】第二給紙部を設けた複写機の右手前取っ手部近傍の拡大斜視図。
【図９】両面カバーの隣に窪み形状の取っ手部を設けた複写機の説明図、（ａ）は各部材に符号を付した説明図、（ｂ）は、両面カバーとなる部分を斜線部で表した説明図。
【図１０】両面カバー自体に窪み形状の取っ手部を設けた複写機の説明図、（ａ）は各部材に符号を付した説明図、（ｂ）は、両面カバーとなる部分を斜線部で表した説明図。
【図１１】両面カバーの隣に出し入れ可能な棒状の取っ手部を設けた複写機の説明図、（ａ）は各部材に符号を付した説明図、（ｂ）は、両面カバーとなる部分を斜線部で表した説明図。
【図１２】掘り込み式取っ手部の説明図、（ａ）は、側方断面図、（ｂ）は、外観図。
【図１３】運搬用レバーの説明図、（ａ）は、側方断面図、（ｂ）は、外観図。
【発明を実施するための形態】
【００１５】
以下、図面を参照して、本発明の実施形態を説明する。
まず、本実施形態に係る画像形成装置の構成例について説明する。
図２は、本実施形態に係る画像形成装置である複写機５００の全体の構成例を示す概略構成図である。図２に示す複写機５００は、イエロー（以下、Ｙ）、マゼンダ（以下、Ｍ）、シアン（以下、Ｃ）、ブラック（以下、Ｋ）の四色トナーから一画像を形成するカラー画像形成装置である。この複写機５００は、画像形成部６０、給紙部２、画像形成対象である原稿の画像を読み取る画像読取手段としてのスキャナ３などを備えている。また画像形成部６０の図中右側側方には、反転搬送部を備えた両面カバー３１が設けられている。
【００１６】
画像形成部６０は、各色を形成する四つの作像ユニット５（Ｙ，Ｍ，Ｃ，Ｋ）を備えており、これらが図中矢印Ｆ方向に表面移動する中間転写ベルト１２１に沿って配置されている。各作像ユニット５（Ｙ，Ｍ，Ｃ，Ｋ）は、ドラム状の像担持体としての感光体１（Ｙ，Ｍ，Ｃ，Ｋ）をそれぞれ有している。さらに、画像形成部６０は、露光装置４を備えている。
【００１７】
中間転写ベルト１２１の内側には、感光体１（Ｙ，Ｍ，Ｃ，Ｋ）から中間転写ベルト１２１上にトナー像を転写する一次転写ローラ２４（Ｙ，Ｍ，Ｃ，Ｋ）を設けている。一次転写ローラ２４（Ｙ，Ｍ，Ｃ，Ｋ）よりも下流側には、中間転写ベルト１２１表面に対向するように二次転写ローラ２３を設けている。また、二次転写ローラ２３よりも下流には、トナー像転写後の中間転写ベルト１２１表面のクリーニングをする図示しない中間転写ベルトクリーニング装置を設けている。なお、本実施形態の複写機５００では、これらは一体的に構成され、複写機５００本体に脱着可能な中間転写ユニット１２０の形態をなしている。なお、作像ユニット５（Ｙ，Ｍ，Ｃ，Ｋ）、露光装置４、中間転写ユニット１２０、定着装置８等は、スキャナ３で読み取った画像情報に基づいて記録媒体としての転写紙Ｐに画像を形成する画像形成手段を構成する。
【００１８】
画像形成部６０の上方に配置されたスキャナ３は、光源を有する第一走行体、ミラーを有する第二走行体、結像レンズ及び読取センサ（いずれも不図示）等から構成されている。
【００１９】
四つの作像ユニット５（Ｙ，Ｍ，Ｃ，Ｋ）の下方には露光装置４を設けている。また、画像形成部６０の下方には、給紙部２を設けている。給紙部２は、転写紙Ｐを収容する給紙カセット２ａ、給紙手段である給紙ローラ２７を備えている。また、二次転写ローラ２３の上方には、転写紙Ｐ上の画像を定着する定着装置８と、排紙ローラ２６とを設けている。
【００２０】
四つの作像ユニット５（Ｙ，Ｍ，Ｃ，Ｋ）は、収容するトナーの色が異なる以外は、同一の構成であるため、以下、符号を適宜省略して説明する。作像ユニット５は、感光体１の周りに、感光体１表面に電荷を与える図示しない帯電装置、感光体１表面に形成された潜像を各色トナーで現像してトナー像とする図示しない現像装置を備えている。また、トナー像転写後の感光体１表面のクリーニングをする図示しないクリーニング装置が配置されている。
【００２１】
次に、本実施形態に係る複写機５００の動作例について説明する。
画像開始の信号を受けると、中間転写ベルト１２１が表面移動を開始する。同時に、イエロー用作像ユニット５Ｙでは、イエロー用感光体１Ｙを図示しない帯電装置により一様に帯電し、露光装置４によりレーザ光を照射され静電潜像を形成する。静電潜像は、図示しない現像装置により現像され、これによりイエロー用感光体１Ｙにイエローのトナー像が形成される。同様にして、他の色用の作像ユニット５（Ｍ，Ｃ，Ｋ）においても、各感光体１（Ｍ，Ｃ，Ｋ）に、それぞれマゼンタ、シアン、黒のトナー像が形成される。中間転写ベルト１２１の表面移動に伴い、各色トナー像は一次転写ローラ２４（Ｙ，Ｍ，Ｃ，Ｋ）で順次転写され、中間転写ベルト１２１上に合成カラー画像を形成する。なお、各色の作像動作は、そのトナー像が中間転写ベルト１２１の同じ位置に重ねて転写されるように、上流側から下流側に向けてタイミングをずらして実行される。
【００２２】
一方、給紙カセット２ａから給紙ローラ２７により転写紙Ｐが紙搬送路２２に給紙され、中間転写ベルト１２１と二次転写ローラ２３とによって形成される二次転写ニップ部に搬送される。そして、中間転写ベルト１２１上の合成カラー画像を二次転写ローラ２３で転写して転写紙Ｐ上にカラー画像を転写する。画像転写後の転写紙Ｐは、定着装置８へと送り込まれ、転写画像を定着される。定着装置８内で定着処理が施された転写紙Ｐは、排紙ローラ２６により排紙トレイ３０上にスタックされるか、もう一方の面にもトナー像を形成するために両面カバー３１内の反転搬送部に送られるかの何れかの搬送形態が選択される。
【００２３】
また、トナー像転写後の各感光体１（Ｙ，Ｍ，Ｃ，Ｋ）上の残留トナーは、それぞれのクリーニング装置によってクリーニングされる。また、トナー像転写後の中間転写ベルト１２１上の残留トナーは、図示しない中間転写ベルトクリーニング装置によってクリーニングされる。各感光体１（Ｙ，Ｍ，Ｃ，Ｋ）上から回収された廃トナーは、各クリーニング装置内に設けられた図示しない廃トナー搬送スクリュにより、複写機５００内に設けられた廃トナーボトル３００に排出される。また、中間転写ベルト１２１上から回収された廃トナーは、中間転写ベルトクリーニング装置内の図示しないベルト廃トナー搬送スクリュにより、複写機５００内に設けられた廃トナーボトル３００に排出される。
【００２４】
また、画像形成によりトナーを消費した各現像装置には、図２中左上方の、イエロー、マゼンタ、シアン、黒の各トナーが充填されたトナーボトル７（Ｙ，Ｍ，Ｃ，Ｋ）から図示しない搬送経路によって、所定の補給量だけ各色の現像装置にトナーが補給される。なお、四つの作像ユニット５（Ｙ，Ｍ，Ｃ，Ｋ）及びトナーボトル７（Ｙ，Ｍ，Ｃ，Ｋ）の配列順は図２に示す例に限定されるものではない。
【００２５】
本実施形態に係る複写機５００で、図示しない原稿のコピーがとられる際には、例えばシート状の原稿がスキャナ３の図示しない原稿台上にセットされる。原稿がセットされた後、図示しないコピースタートスイッチが押下されると、スキャナ３による原稿読取動作がスタートする。原稿読取動作では、まず、図示しない第一走行体と第二走行体とがともに走行を開始し、第一走行体に設けられた光源から光が発射される。そして、原稿面からの反射光が第二走行体内に設けられたミラーによって反射され、図示しない結像レンズを通過した後、図示しない読取センサに入射される。そして、読取センサは、入射光に基づいて画像情報を構築する。
【００２６】
上記原稿読取動作と並行して、各作像ユニット５（Ｙ，Ｍ，Ｃ，Ｋ）内の各機器や、中間転写ユニット１２０、二次転写ローラ２３、定着装置８がそれぞれ駆動を開始する。そして、スキャナ３によって読み取られた画像情報に基づいて、露光装置４が駆動制御されて、各感光体１（Ｙ，Ｍ，Ｃ，Ｋ）上に、Ｙ、Ｍ、Ｃ及びＫトナー像が形成される。これらトナー像は、中間転写ベルト１２１上に重ね合わせ転写された四色トナー像となる。
【００２７】
また、原稿読取動作の開始とほぼ同時に、給紙部２内では給紙動作が開始される。この給紙動作では、給紙ローラ２７の一つが選択回転され、多段に収容される給紙カセット２ａの一つから転写紙Ｐが送り出される。送り出された転写紙Ｐは、給紙ローラ２７で一枚ずつ分離されて用紙搬送路２８に進入した後、搬送ローラ対２９によって二次転写ニップに向けて搬送される。このような給紙カセット２ａからの給紙に代えて、手差しトレイ５０からの給紙が行われる場合もある。この場合、手差し給紙ローラ５１が回転して手差しトレイ５０上の転写紙Ｐを送り出し、転写紙Ｐを一枚ずつ手差し給紙路５２に給紙する。
【００２８】
本実施形態は、給紙部２上方かつ、画像形成部６０の右側面に反転搬送部を備えた両面カバー３１が設けられている。よって、両面カバー３１の下方にスペースができる。このように、両面カバー３１の下方にスペースがあると、外観品質が悪くなる。また、複写機５００を持ち運ぶ際に両面カバー３１を取っ手代わりに持たれて両面カバー３１が破損するおそれもある。このため、本実施形態においては、両面カバー３１の下方であり給紙部２の図中右側方に、目隠しカバー４０を取り付けている。これにより、外観品質が良くなり、また、複写機５００を持ち運ぶ際に両面カバー３１を取っ手の代わりに持たれることがなくなる。
【００２９】
両面カバー３１は、カバー回動軸３２を中心に複写機５００本体に対して回動可能であり、使用者が両面カバー３１を図２中の矢印Ａ方向に回転させることで、紙搬送路２２が露出する。これにより、紙搬送路２２内で紙詰まりが発生したときに、両面カバー３１を開放させることで、詰った転写紙Ｐを容易に取り除くことができる。また、両面カバー３１は、その外装の裏面に紙搬送路２２の一部を形成し、紙搬送路２２を通過する転写紙Ｐを案内する不図示のガイド部材を備えている。
【００３０】
この複写機５００は、オプションとして、図３に示すように、給紙部２の下方に第二給紙部７０を設けることができる。この第二給紙部７０を設けるときは、目隠しカバー４０を取り外して、その位置に第二給紙部７０が取り付けられる。目隠しカバー４０をネジなどの締結部材を用いて複写機５００に取り付ける場合、オプションの第二給紙部７０を取り付けるときに、スクリュードライバーなどの工具を用いて目隠しカバー４０を取り外す必要が生じる。よって、第二給紙部７０の取り付け作業が煩雑になるという不具合が生じる。また、目隠しカバー４０を固定するネジなどの締結部材を複数用いる必要があり、装置のコストアップに繋がってしまう。そこで、本実施形態においては、目隠しカバー４０をスナップフィットにより画像形成装置本体に固定するようにした。これにより、工具などを用いずに、目隠しカバー４０を複写機５００から着脱でき、ネジなどの締結部材で目隠しカバー４０を固定する場合に比べて、容易に目隠しカバー４０を着脱することができる。また、ネジなどの締結部材により目隠しカバー４０を取り付ける場合に比べて、部品点数を削減することができ、装置を安価にすることができる。
【００３１】
次に、本実施形態の複写機５００の特徴部について説明する。
図１は、複写機５００の斜視説明図である。図１（ａ）は、複写機５００の各部材に符号を付した説明図であり、図１（ｂ）は、図１（ａ）に複写機５００において、両面カバー３１として複写機５００本体に対して回動可能な部分を斜線部で示した説明図である。また、図１（ａ）では、両面カバー３１の内側に配置され、外観からは確認できないカバー回動軸３２の軸中心を一点鎖線で示している。
【００３２】
両面カバー３１は、複写機５００本体の右側面５００ａに配置され、移動端である上部端部が複写機５００本体から離れる方向に移動する方向に回動することで、覆っていた装置本体内部である紙搬送路２２を露出させる。
複写機５００は装置運搬用の取っ手部として、装置本体に固定され、且つ、装置本体の外装の右側面５００ａに対して窪んだ形状の右手前取っ手部３４を有する。そして、この右手前取っ手部３４を、右側面５００ａの幅方向（図１中のＹ軸に平行な方向）における両面カバー３１の幅内で、両面カバー３１の下端よりも低い位置に配置している。
両面カバー３１の幅内としては、右手前取っ手部３４の幅方向の全てが両面カバー３１の幅内に収まるものに限らず、右手前取っ手部３４の幅方向の少なくとも一部が両面カバー３１の幅内に位置していればよい。
【００３３】
ここで従来の画像形成装置における装置運搬用の取っ手部について説明する。
装置運搬用の取っ手部は、装置本体の四隅近傍に設置されており、この四隅のうちの一つ（複写機５００における右手前側の隅）には、紙搬送路を裏面にもつ両面カバー３１が存在する。
【００３４】
図９は、両面カバー３１の幅方向（図中Ｙ軸に平行な方向）の隣に窪み形状の取っ手部からなる右手前取っ手部３４を設けた複写機５００の説明図である。図９（ａ）は、複写機５００の各部材に符号を付した説明図であり、図９（ｂ）は、図９（ａ）に複写機５００において、両面カバー３１として複写機５００本体に対して回動可能な部分を斜線部で示した説明図である。
【００３５】
図９に示す複写機５００では、両面カバー３１の支軸であるカバー回動軸３２を本体前側板５０１に固定している。このため、右手前取っ手部３４を配置する空間としては、本体前側板５０１に差し込むカバー回動軸３２よりも前側のスペースしか確保することが出来ない。装置運搬時に複写機５００を安定して保持するためには、人差し指から小指までの四本の手の指が取っ手部の窪みに入る必要がある。しかし、右手前取っ手部３４を配置するスペースが狭いと、右手前取っ手部３４の窪みに一本から三本の指しか入らないという不具合が生じる。
【００３６】
図１０は、両面カバー３１自体に窪み形状の取っ手部からなる右手前取っ手部３４を設けた複写機５００の説明図である。図１０（ａ）は、複写機５００の各部材に符号を付した説明図であり、図１０（ｂ）は、図１０（ａ）に複写機５００において、両面カバー３１として複写機５００本体に対して回動可能な部分を斜線部で示した説明図である。
【００３７】
図１０に示すように、両面カバー３１自体に取っ手部を設けると、装置運搬時にカバー回動軸３２等の両面カバー３１のヒンジ部に負荷が掛かり、このヒンジ部が破損するおそれがある。なお、図１０に示すように、両面カバー３１自体に取っ手部を設ける構成は、複写機５００自体の重量が比較的軽く、重量による負荷が小さいものに採用される。
【００３８】
図１１は、両面カバー３１の幅方向（図中Ｙ軸に平行な方向）の隣に複写機５００本体の右側面５００ａを形成する筐体に対して出し入れ可能な棒状の取っ手部である運搬用レバー１００を設けた複写機５００の説明図である。図１１（ａ）は、複写機５００の各部材に符号を付した説明図であり、図１１（ｂ）は、図１１（ａ）に複写機５００において、両面カバー３１として複写機５００本体に対して回動可能な部分を斜線部で示した説明図である。運搬用レバー１００は、図１１（ａ）中の矢印Ｂ方向（図中Ｘ軸に平行な方向）にスライド可能となっている。また、図１１（ａ）では、運搬用レバー１００を突き出した状態を示しており、図１１（ｂ）では、運搬用レバー１００を収めた状態を示している。運搬用レバー１００は、その棒状の長手方向に沿って、右側面５００ａに直交する方向に出し入れ可能となっている。
【００３９】
図１２は、本実施形態の複写機５００の右手前取っ手部３４や図１１に示す複写機５００の右奥取っ手部３５等の用いられる窪み形状からなる掘り込み式取っ手部３７の説明図である。図１２（ａ）は、掘り込み式取っ手部３７を右側面５００ａの側方（複写機５００の正面）から見たＸ−Ｚ断面図であり、図１２（ｂ）は、掘り込み式取っ手部３７を右側面５００ａを正面（複写機５００の側面）から見た外観図である。
【００４０】
図１３は、図１１に示す複写機５００の右手前側の取っ手部に用いている運搬用レバー１００の説明図である。図１３（ａ）は、運搬用レバー１００を右側面５００ａの側方（複写機５００の正面）から見たＸ−Ｚ断面図であり、図１３（ｂ）は、運搬用レバー１００を右側面５００ａを正面（複写機５００の側面）から見た外観図である。
【００４１】
図１２及び図１３では、それぞれの取っ手部（３７及び１００）で、装置運搬時に手が接触する部分を一点鎖線で示している。
図１２に示すように、掘り込み式取っ手部３７は、複写機５００本体の外装カバーに形成されたくぼみ形状に手を掛けて、装置本体を運搬する。一方、図１３に示す運搬用レバー１００からなる取っ手部を備える構成では、装置運搬時に、運搬用レバー１００を装置本体の筐体からスライドさせ、固定される位置まで引き出す。引き出した運搬用レバー１００を手で握って装置本体を運搬する。
【００４２】
図１３に示す運搬用レバー１００のように装置本体から引き出す棒状の取っ手部は、棒状の長手方向（図中矢印Ｂ方向）の長さとしては人間の手の人差し指から小指までが十分に掛かる長さが必要である。しかし、棒状の径は人間の手の指の第一関節と第二関節との間で下方を支持できる程度の長さ（２［ｃｍ］前後）があればよい。このような径の棒状の取っ手部を配置するために要する幅は、図１２に示す掘り込み式取っ手部３７よりも狭いため、右側面５００ａの幅が広くなることを抑制できる。
【００４３】
しかし、図１３に示す運搬用レバー１００のように装置本体から引き出す棒状の取っ手部を備える構成の場合、装置運搬時に取っ手部を装置本体から引き出す作業が必要であり、運搬時の作業性が悪くなる。また、装置運搬時に、何かの拍子で取っ手部が引っ込むと装置から手が離れてしまい装置が落下して損傷するおそれがある。さらに、棒状の取っ手部が装置側面から突き出した状態で放置されると、設置した状態での外観の美的品質が低下したり、設置した状態の装置の取っ手部に人がぶつかったりする不具合が生じるおそれがある。
【００４４】
一方、図１２に示す掘り込み式取っ手部３７は、取っ手部を設置するために必要な右側面５００ａの幅方向の幅が広い。このため、両面カバー３１の幅方向の両方の外側に掘り込み式取っ手部を配置すると、右側面５００ａの幅が広くなり、複写機５００の設置スペースの拡大に繋がる。
【００４５】
図１に示す本実施形態の複写機５００が備える右手前取っ手部３４及び右奥取っ手部３５は、掘り込み式取っ手部であり、複写機５００本体の外装の表面に対して窪んだ形状である。このため、図１１に示した構成のように、右側面５００ａから取っ手部が突き出すことがない。これにより、使用時の外観の美的品質が低下したり、使用時に取っ手部に人がぶつかったりすることを防止できる。
また、右手前取っ手部３４及び右奥取っ手部３５が装置本体に固定されている。このため、図１０に示した構成のように、両面カバー３１に取っ手部を設ける構成に比べて、運搬時に両面カバー３１やカバー回動軸３２に損傷が生じるおそれがなく、安定した運搬を行うことができる。
【００４６】
さらに、両面カバー３１の幅内で、両面カバー３１よりも低い位置に窪んだ形状の右手前取っ手部３４を設けている。このため、人間の手の掛かりが安定するほどの幅を備えた取っ手部を設けても、両面カバー３１を設けた右側面５００ａの幅が広くなることを抑制できる。右側面５００ａの幅が広くなることを抑制できるため、複写機５００を上方から下方に向けて投影したときの投影面積が大きくなることを抑制でき、設置スペースの拡大を抑制できる。
また、図１に示す複写機５００は、裏面に紙搬送路２２を備えた外装面である右側面５００ａに、右手前取っ手部３４として人間の手の掛かりが安定するほどの幅を備えた取っ手部を配置するスペースを確保することができる。このため、装置運搬時に取っ手部から手が外れて装置が落下することを抑制でき、安定した運搬を行うことが可能となる。
【００４７】
図４は、複写機５００の右手前取っ手部３４近傍の拡大斜視図である。図４に示すように、裏面が紙搬送路２２である両面カバー３１と、両面カバー３１の回動軸であるカバー回動軸３２とを従来よりも上方に設置している。これにより、両面カバー３１の下方に掘り込み式取っ手部からなる右手前取っ手部３４を装置本体に固定するためのスペースを確保することができる。図４に示すように、右手前取っ手部３４は、複写機５００本体の筐体２００に固定されており、カバー回動軸３２は筐体２００に対して回動可能に保持されている。
【００４８】
図５は、右手前取っ手部３４の拡大説明図であり、図５（ａ）は、複写機５００の外側から見た場合の斜視説明図であり、図５（ｂ）は、複写機５００の内側から見た場合の斜視説明図である。
図５に示すように、本実施形態では、掘り込み式取っ手である右手前取っ手部３４の裏面の取っ手部裏面３４ａがガイド面として転写紙Ｐを案内する形状となっており、右手前取っ手部３４が搬送ガイド部としての機能を備える。これにより、さらに紙搬送路２２の範囲まで取っ手部を設けるスペースを確保することができる。
【００４９】
図６は、目隠しカバー４０を取り外した複写機５００の斜視説明図である。図６に示すように、目隠しカバー４０を取り外すと、両面カバー３１と二つの取っ手部（３４、３５）とのよって囲まれた両面カバー下方空間４０ａが露出した状態となる。両面カバー下方空間４０ａは、両面カバー３１の下端が従来の構成よりも上方に位置する構成となったことにより生じる空間であるが、目隠しカバー４０を設けることで、外観の美的品質が低下することを防止できる。
【００５０】
図７は、第二給紙部７０を設けた複写機５００の斜視説明図である。また、図８は、第二給紙部７０を設けた複写機５００の右手前取っ手部３４近傍の拡大斜視図である。
図７に示すように、本実施形態の複写機５００に用いる第二給紙部７０は、その右側面を形成する追加給紙部カバー７１が、目隠しカバー４０を取り付けていた位置まで延在する形状となっている。追加給紙部カバー７１は、図３に示す追加カバー回動軸７２を中心に回動可能に取り付けられている。
【００５１】
第二給紙部７０を設けた構成で、目隠しカバー４０を取り付けたままであると、次のような不具合が生じる。すなわち、第二給紙部７０から複写機５００本体の紙搬送路２２に向けて給紙する間に生じた紙詰まりを解消するときに、追加給紙部カバー７１を開放状態とするだけではなく、目隠しカバー４０も取り外す必要がある。これにより、紙詰まりを解消するときに開放するカバーが増え、紙詰まりが生じた紙を除去するジャム処理の効率が低下する。
【００５２】
一方、追加給紙部カバー７１を、目隠しカバー４０を取り付けていた位置まで延在する形状とし、第二給紙部７０を設置するときには目隠しカバー４０を取り外して設置することで、紙詰まりを解消するときには、追加給紙部カバー７１を開放する。これにより、紙詰まりを解消するときに開放するカバーの数を減らすことができ、ジャム処理の効率が向上する。
なお、第二給紙部７０を未装着時には、図１に示すように、目隠しカバー４０を装着することで、両面カバー下方空間４０ａが露出することに起因して外観の美的品質が低下することを防止できる。
【００５３】
上述した実施形態では、両面カバー３１を開放状態となることで記録体搬送路である紙搬送路２２を露出する構成について説明したが、カバー部材を開放状態とすることで、カバー部材が覆っていた装置本体内部を露出させる構成であれば本発明を適用できる。
また、カバー部材としては、本実施形態の両面カバー３１のように、回動軸を中心に回動することで開閉する構成に限らない。装置本体に対して引き出す構成やカバー部材そのものを装置本体から取り外す構成など、少なくともカバー部材の一部が装置本体から離れる方向に移動することで、覆っていた装置本体内部を露出させる構成であれば、本発明を適用できる。
【００５４】
以上に説明したものは一例であり、本発明は、次の態様毎に特有の効果を奏する。
（態様Ａ）
転写紙Ｐ等のシート状の記録媒体の表面に画像を形成する画像形成部６０等の画像形成手段と、右側面５００ａ等の装置本体の側面に配置され、少なくとも一部が装置本体から離れる方向に移動することで、覆っていた紙搬送路２２等の装置本体内部を露出させる両面カバー３１等のカバー部材とを備える複写機５００等の画像形成装置において、装置運搬用の取っ手部として、装置本体に固定され、且つ、装置本体の外装の側面に対して窪んだ形状の右手前取っ手部３４等の取っ手部の少なくとも一つを、側面の幅方向におけるカバー部材の幅内で、カバー部材よりも低い位置に配置する。
これによれば、上記実施形態について説明したように、設置スペースの拡大を抑制しつつ、側面から取っ手部が突き出すことなく、装置運搬時には安定した運搬を行うことが可能となる。
（態様Ｂ）
態様Ａにおいて、両面カバー３１等のカバー部材の下端近傍に軸中心が水平方向に延在するように配置され、カバー部材を複写機５００等の装置本体に対して回動可能に支持するカバー回動軸３２等のカバー回動軸を備え、カバー部材の上端がカバー回動軸を中心に装置本体から離れる方向に移動するように、カバー部材が回動することで覆っていた紙搬送路２２等の装置本体内部を露出させ、右手前取っ手部３４等の取っ手部の少なくとも一つは、カバー回動軸よりも低い位置でカバー部材の下端に隣接する位置に設けられている。
これによれば、上記実施形態について説明したように、装置本体に対して回動可能なカバー部材を備えた側面に、装置運搬時には安定した運搬を行うことが可能となる取っ手部を設けることができる。これにより、設置スペースの拡大を抑制しつつ、側面から取っ手部が突き出すことなく、装置運搬時には安定した運搬を行うことが可能となる構成を実現できる。
（態様Ｃ）
態様ＡまたはＢにおいて、両面カバー３１等のカバー部材は、転写紙Ｐ等の記録媒体が搬送される紙搬送路２２等の記録媒体搬送路を覆い、両面カバー３１の上端部等の少なくとも一部が複写機５００等の装置本体から離れる方向に移動することで、記録媒体搬送路を露出させる。
これによれば、上記実施形態について説明したように、記録媒体搬送路を覆うカバー部材を備えた装置本体の側面に装置運搬時には安定した運搬を行うことが可能となる取っ手部を設けることができる。これにより、設置スペースの拡大を抑制しつつ、側面から取っ手部が突き出すことなく、装置運搬時には安定した運搬を行うことが可能となる構成を実現できる。
（態様Ｄ）
態様Ｃにおいて、右手前取っ手部３４等の取っ手部等の裏側は、紙搬送路２２等の記録媒体搬送路であり、取っ手部は搬送ガイド部等の記録媒体搬送ガイドを兼ねている。
これによれば、上記実施形態について説明したように、取っ手部を設けるスペースを、用紙搬送路の範囲まで広げることができる。
（態様Ｅ）
態様ＣまたはＤにおいて、複写機５００等の装置本体の下方に配置され、紙搬送路２２等の記録媒体搬送路に記録媒体を供給する第二給紙部７０等の記録媒体供給装置を備え、記録媒体供給装置は、右手前取っ手部３４等の取っ手部に隣接し、両面カバー３１等のカバー部材の下端近傍まで覆う追加給紙部カバー７１等の縦搬送カバーを有する。
これによれば、上記実施形態について説明したように、記録媒体供給装置と記録媒体搬送路との間で紙詰まりが生じたときに、開放するカバーが一つで済み、ジャム処理の効率が向上する。
【符号の説明】
【００５５】
１  感光体
１Ｙ  イエロー用感光体
２  給紙部
２ａ  給紙カセット
３  スキャナ
４  露光装置
５  作像ユニット
５Ｙ  イエロー用作像ユニット
７  トナーボトル
８  定着装置
２２  紙搬送路
２３  二次転写ローラ
２４  一次転写ローラ
２６  排紙ローラ
２７  給紙ローラ
２８  用紙搬送路
２９  搬送ローラ対
３０  排紙トレイ
３１  両面カバー
３２  カバー回動軸
３４  右手前取っ手部
３４ａ  取っ手部裏面
３５  右奥取っ手部
３７  掘り込み式取っ手部
４０  目隠しカバー
４０ａ  両面カバー下方空間
５０  手差しトレイ
５１  給紙ローラ
５２  手差し給紙路
６０  画像形成部
７０  第二給紙部
７１  追加給紙部カバー
７２  追加カバー回動軸
１００  運搬用レバー
１２０  中間転写ユニット
１２１  中間転写ベルト
２００  筐体
３００  廃トナーボトル
５００ａ  右側面
５００  複写機
５０１  本体前側板
Ｐ  転写紙
【先行技術文献】
【特許文献】
【００５６】
【特許文献１】特許４９８２８６３号
【特許文献２】特許４５５９２３９号
【特許文献３】特開２００５−１８９７５２号公報
【図１】
2014170058.tif 000003
【図２】
2014170058.tif 000004
【図３】
2014170058.tif 000005
【図４】
2014170058.tif 000006
【図５】
2014170058.tif 000007
【図６】
2014170058.tif 000008
【図７】
2014170058.tif 000009
【図８】
2014170058.tif 000010
【図９】
2014170058.tif 000011
【図１０】
2014170058.tif 000012
【図１１】
2014170058.tif 000013
【図１２】
2014170058.tif 000014
【図１３】
2014170058.tif 000015